(57)【要約】【課題】本発明は、パレット上に積載された荷物の荷崩れ防止を一人で容易に作業でき、繰り返し使用することもでき、また輸送や保管時には折りたたむことができる荷崩れ防止具を提供することを目的とする。【解決手段】本発明の荷崩れ防止具は、パレット４上に積載された荷物５に巻回される分割された荷崩れ防止シート１ａ，１ｂ，１ｃ，１ｄと、この荷崩れ防止シートにベルト３をスライド自在に保持するベルトガイド２を設け、ベルト３の両端には固定具３ａ，３ｂを備えている。荷崩れ防止シート１ａ，１ｂ，１ｃ，１ｄが分割されているので荷物５の上部から一人の作業者でも容易に設置でき、また折りたたみも簡単である。さらにベルト３が荷崩れ防止シート１ａ，１ｂ，１ｃ，１ｄにスライド自在に保持されているので荷崩れの際に作用する力はベルト３に主要な力が作用する。その為、荷崩れシート１ａ，１ｂ，１ｃ，１ｄは安価な材料でも対応できる。【選択図】図１
2006131235.tif 000002
【特許請求の範囲】
【請求項１】
パレットや台車上に積み上げられた荷物の側部に巻回して荷崩れを防止する荷崩れ防止シートを巻回長さ方向に複数に分割し、前記荷崩れ防止シートにスライド自在にベルトを保持し前記ベルトには締め付け自在の止め具を設けてなる荷崩れ防止具
【請求項２】
前記荷崩れ防止シートの巻回長さ方向を３分割してなることを特徴とする請求項１記載の荷崩れ防止具。
【請求項３】
前記荷崩れ防止シートの荷物側に滑り止めシートを設けてなる請求項１記載の荷崩れ防止具。
【請求項４】
前記荷崩れ防止シートの材質をポリオレフィン系のシートや段ボールを用いてなる請求項１記載の荷崩れ防止具。
【発明の詳細な説明】
【技術分野】
【０００１】
本発明は、パレットや台車上に数段に積載された荷物の、荷崩れを防止するための荷崩れ防止具で、一人でも能率よく作業でき、また繰り返し使用することができる荷崩れを防止具に関する。
【背景技術】
【０００２】
一般に荷物の搬送はパレットや台車上に数段積載して行い、運搬効率の向上がはかられている。しかしながら、何らかの方法で荷物の荷崩れ防止をしなければ荷物の損傷や作業の中断が発生するという問題がある。そこで従来から荷崩れの防止手段としてストレッチフィルムをパレット上に積載された荷物の回りに巻いて運搬し到着したら前記ストレッチフィルムを剥がしてパレット上の荷物の分別をしていた。このストレッチフィルムは荷物から一旦外すと、皺が入ったりして元の状態に復元して再利用できるものではなく、通常廃棄されており経費と資源の無駄となっている。
【０００３】
また産業廃棄物の削減や資源の有効活用面からもストレッチフィルムに変わる荷崩れ防止具の早期開発が望まれる中、様々な検討がなされてきている。
【０００４】
【特許文献１】特開平１１−１１４８１号公報
【特許文献２】特開２００２−２１１５６６号公報
【発明の開示】
【発明が解決しようとする課題】
【０００５】
以上説明した特許文献1の荷崩れ防止具は、荷崩れ防止の帯状シートの側端部に面ファスナーを固着し、さらにシートの他方の側端部に面ファスナーが固着されたベルトを設けているので荷崩れ防止シートの再利用ができるもので、面ファスナーによりシート自体の自体の取付け、取外しが楽に出来るものである。
【０００６】
しかし、特許文献１の技術においては、普通パレットの１辺は１ｍ程度あり巻回するにはシートは４辺分の長さがあり、一人で楽にすばやく作業するのは難しいものである。またに崩れ防止の際に生じる力はシート部やベルト部、シートとベルトの固着部それぞれに作用するため全てが充分な強度を有する材料を使用しなければならずコスト的にも割高となってしまう。そこで作業性がよく、強度が十分ある低コストの荷崩れ防止具が望まれている。
【０００７】
また、特許文献２の荷崩れ防止具は、立体上に積み重ねた荷物の角部上面に直角三角形状の角部係止具を設けているため前記角部係止具を荷物に載せで荷物の周りを周回して作業を一人で行うことが可能ではあるが、さらなる作業性の改善と部材が多くなっているのでコスト的な改善が望まれる。
【０００８】
そこで、このような課題を解決するために本発明は、荷崩れ防止具を一人で容易に作業でき、荷崩れの際に作用する力がシートには直接かからないようにすることで、従来より強度の低いシート材料を採択できるのでコスト的に安価な荷崩れ防止具を提供することを目的とする。
【０００９】
また、本発明は前述のようにシートに直接力がかからないため、最終廃棄の際にも環境負荷の少ないポリオレフィンなどの材料で提供することも合わせて目的とする。
【課題を解決するための手段】
【００１０】
本発明の荷崩れ防止具は、荷崩れ防止シートにスライド自在にベルトを保持し前記ベルトには締め付け自在の止め具を設けることと、前記荷崩れ防止シートを複数枚に分割することで一人でも作業性の良い、しかも安価で充分な強度を有し再使用ができることを特徴とする荷崩れ防止具である。
【発明の効果】
【００１１】
本発明によれば、荷崩れ防止具を作業性良く、低コストで、繰り返し使用できるものであり産業廃棄物の削減にも貢献できる。
【発明を実施するための最良の形態】
【００１２】
本発明の第１の形態は、パレットに積載された荷物を巻回する帯状の荷崩れ防止シートにベルトガイドを設けて前記ベルトガイドにベルトをスライド自在に取付け、ベルトは締め付け自在の止め具にて荷物を締め付けられる。また荷崩れ防止シートの巻回方向の長さを分割し、荷崩れ防止具の取付け作業は先に荷物の上から荷物の奥側に分割した荷崩れ防止シートを設置する。荷崩れ防止シートは分割することで作業の際の軽量化がはかれ、一人でも荷物の奥に設置することができる。奥側が設置できたら、両サイド、手前と設置する作業は容易に出来る。さら荷崩れ防止シートには自立できる程度の腰を持たせているので、ベルトは荷崩れ防止シートを荷物の周りに同時に設置される。またベルトの締め付け具は手前に配置されるので容易に締め付けることが出来る。さらに荷物のサイズが異なっても荷崩れ防止シートを分割しているので大きい荷物には分割した荷崩れ防止シートの間に隙間をとれば良いし、また小さい荷物の際には荷崩れ防止シートに重ね部分をつくって作業することで対処できる。さらにシートが分割されているので容易に折りたためるので荷崩れ防止シート自体の輸送、保管に於いても有利であり再使用の促進にもなる。
【００１３】
本発明の第２の形態は、第１の形態に従属する形態であって、荷崩れ防止シートを三分割にしたもので、実用的に最も効果的な分割数である。まず、荷物の奥側の巻回方向の一辺より少し長くした荷崩れ防止シートにて荷物奥の面と垂直方向の二角までを荷物にあてがう。２番目、３番目の分割はそれぞれ前記荷物の左側面から手前側への左半分、また同様に右側面から手前の右半分の３分割にすることが最も効率よく作業できる形態である。
【００１４】
本発明の第３の形態は、第１または２の形態に従属する形態であって、荷崩れ防止シートの荷物側に滑り防止シートを設けることで、シートと荷物間の摩擦を大きくし荷物同士のズレを改善して、荷崩れに対する品質を高めたものである。滑り防止シートは具体的には樹脂発泡品をシート状にしたものを用いる。
【００１５】
本発明の第４の形態は、第１〜３のいずれかにの形態に従属する形態であって、荷崩れ防止シートの材質をポリオレフィン系で構成したもので、金属や塩化ビニルなど不使用で最終廃棄時の環境負荷に配慮したものである。
【実施例１】
【００１６】
本発明の実施例1の荷崩れ防止具の取付け方法について、図面に基づいて説明をする。本発明は、分割した荷崩れ防止シートにベルトをスライド自在に取り付けることで一人でも作業性が良く、荷崩れ防止に対する強度も充分で、複数回使うことが出来、輸送や保管にもすぐれた従来にない新しい着想の荷崩れ防止具を提供するものである。
【００１７】
なお、図1は本発明の実施例1における荷崩れ防止具を荷物に取付けた時の斜視図、図２は荷崩れ防止具の展開斜視図、図３は本発明の実施例1における荷崩れ防止具を輸送、保管時の折りたたんだ状態を示す斜視図、図４（ａ），（ｂ），（ｃ）は本発明の実施例1における荷崩れ防止具を荷物に取付ける手順を示した説明図である。
【００１８】
図１において、１ａ，１ｂ，１ｃ，１ｄはコンテナ４上に積載された荷物５に巻回した荷崩れ防止シートで４分割されている。２は荷崩れ防止シート１ａ，１ｂ，１ｃ，１ｄに固着されベルト３を長手方向にスライド自在に取り付けるベルトガイドである。ベルト３の両端の近傍には固定具３ａ，及び３ｂが設けられている。この固定具は市販品等を用いている。ベルトガイド２はベルト３の長手方向に、およそ３０〜７０ｃｍの間隔で設けると、ベルト３のたるみなど発生しないで作業しやすい。
【００１９】
このように構成された荷崩れ防止シート１ａ，１ｂ，１ｃ，１ｄはベルトガイド２にスライド自在に取付けられたベルト３により荷物５を固定する。荷物５に荷崩れの力が作用した時は主に、このベルト３が力を受けて荷崩れを防止する。したがって荷物の質量や輸送状態などに応じてベルト３の強度を考慮すればよい。荷崩れ防止シート１ａ，１ｂ，１ｃ，１ｄとベルト３には繋ぎ目が無いので、荷崩れ防止シート１ａ，１ｂ，１ｃ，１ｄの強度はあまり強くない材料でも充分機能を果たす。
【００２０】
続いて、実施例1の荷崩れ防止具の展開全体を図２に基づいて簡単に説明する。図２において、１ａ，１ｂ，１ｃ，１ｄは分割された荷崩れ防止シートで２はベルトガイド、３はベルトでベルト３の両端近傍には固定具３ａ，及び３ｂを設けている。したがってベルト３に対して荷崩れ防止シート１ａ，１ｂ，１ｃ，１ｄは、それぞれ自在にスライドさせることが出来る。また展開するとこのように長いものであり、運搬や保管の際はコンパクトにする必要がある。
【００２１】
続いて、実施例1の荷崩れ防止具の運搬や保管の際にコンパクトに折りたたんだ内容を図３に基づいて簡単に説明する。図３において、１ａ，１ｂ，１ｃ，１ｄは分割された荷崩れ防止シートで２はベルトガイド、３はベルトでベルト３の両端近傍には固定具３ａ，及び３ｂを設けている。荷崩れ防止シート１ａ，１ｂ，１ｃ，１ｄを分割しているので折りたたみ部はベルトだけで腰がなく、密着させて簡単に折りたたむことが出来る。
【００２２】
続いて、実施例1の荷崩れ防止具をコンテナ４上に積載された荷物５へ取付ける作業手順について図４に基づいて簡単に説明する。図４（ａ）において、６は作業者で作業者６の荷物５の奥側に取付ける荷崩れ防止シート１ａ，１ｂを持ち荷物５の上部から荷物５の奥に取付け始める説明図、図４（ｂ）は荷崩れ防止シート１ａ，１ｂを荷物５の奥に取付けた後、荷崩れ防止シート１ｃ，１ｄを取付けている説明図、図４（ｃ）は荷崩れ防止シート１ｃ，１ｄを荷物５の手前側に曲げている状況の説明図である。この後、図示していないがベルト３の両端近傍に設けられた固定具３ａ及び３ｂをジョイントする。
【００２３】
このように、荷崩れ防止シート１ａ，１ｂ，１ｃ，１ｄを分割しているので、荷物５の上から取付けする際にも荷崩れ防止シート１ａ，１ｂの質量を持ち上げるだけで作業できるので、軽作業で済む。また、荷物５の大きさで荷崩れ防止シート１ａ，１ｂ，１ｃ，１ｄの巻回長さとサイズが合わなくても調整ができる。すなわち荷崩れ防止シート１ａ，１ｂ，１ｃ，１ｄのほうが荷物５の周囲より長い場合は重なり部分を作れば良いし、逆に短い場合は荷物５の垂直方向の四つの角部を荷崩れ防止シート１ａ，１ｂ，１ｃ，１ｄがカバーしていれば、その他の部分で隙間が生じても実用上問題は生じない。
【００２４】
なお、ベルト３の両端近傍に設けられた固定具３ａ及び３ｂをジョイントしたあと、固定具３ｂにはベルト３を締め上げる一般に使われている構造の物を採用しているので、ベルト３の弛みの締め上げも簡単に行える。
【００２５】
また、図５での３分割した荷崩れ防止シート１ｅ，１ｆ，１ｇについても作業の際は荷物５の奥側に荷崩れ防止シート１ｅを荷物５の上部から取付け、荷崩れ防止シート１ｆ，１ｇで荷物５の右、左側面と手前部に取付ければ良い。
【００２６】
さらに図６には荷崩れ防止シート１ａ，１ｂ，１ｃ，１ｄの荷物５と接触する面側に滑り防止シート７を備え、荷物５との摩擦を高めており荷崩れはさらに発生しにくく荷崩れ防止の品質を高めている。
【００２７】
このように実施例１の荷崩れ防止具は、従来の荷崩れ防止具のように、シートが一体化されず分割しているため一人で荷崩れ防止具の装着作業ができる画期的なものである。さらに荷物の大きさに対する調整も可能である。また運搬、保管の際にはコンパクトに折りたたむことも出来るので複数回使用を促進でき産業廃棄物を大幅に減じることが出来る。また荷物を巻回するベルトと荷崩れ防止シートは繋がれておらずベルトをベルトガイドでスライド自在に保持しているので荷崩れ防止シート自体の強度は従来よりも大幅に弱くて済むので、材料の選択肢が広がり安価であると共に環境負荷が少ないポリオレフィン系の材料を用いての荷崩れ防止具が実現できる。
【産業上の利用可能性】
【００２８】
本発明は、パレット上や荷台上に積載した荷物の荷崩れ防止に適用できる。
【図面の簡単な説明】
【００２９】
【図１】本発明の実施例1における荷崩れ防止具をパレット上に積載した荷物に取付けた斜視図
【図２】本発明の実施例1における荷崩れ防止具の展開斜視図
【図３】本発明の実施例1における荷崩れ防止具の折りたたみ状態の斜視図
【図４】（ａ）（ｂ）（ｃ）本発明の実施例1における荷崩れ防止具の取付け説明図
【図５】本発明の実施例1における荷崩れ防止シートを３分割した斜視図
【図６】本発明の実施例1における荷崩れ防止シートに滑り止めシートを貼り付けた斜視図
【符号の説明】
【００３０】
１ａ，１ｂ，１ｃ，１ｄ  荷崩れ防止シート
１ｅ，１ｆ，１ｇ    ３分割の荷崩れ防止シート
２    ベルトガイド
３    ベルト
３ａ，３ｂ  固定具
４    パレット
５    荷物
６    作業者
７    滑り止めシート
【図１】
2006131235.tif 000003
【図２】
2006131235.tif 000004
【図３】
2006131235.tif 000005
【図４】
2006131235.tif 000006
【図５】
2006131235.tif 000007
【図６】
2006131235.tif 000008